(57)【特許請求の範囲】
【請求項１】
接客部に投入された貨幣を釣銭準備金および売上金としてそれぞれを釣銭準備金収納部および売上金収納部に振り分けて収納させる入金取引を行う現金入出金管理装置において、
接客部に投入された貨幣の総額から予め出金されている釣銭準備金額を減算して算出した売上金額の売上金を投入された貨幣で売上金収納部に収納することができないとき、釣銭準備金収納部に収納されている高額金種の貨幣がニアエンドであっても、その貨幣を優先して売上金に代替し、代替したその貨幣を釣銭準備金収納部から売上金収納部へ移動させて収納させるようにしたことを特徴とする現金入出金管理装置。
【請求項２】
接客部に投入された貨幣を釣銭準備金および売上金としてそれぞれを釣銭準備金収納部および売上金収納部に振り分けて収納させる入金取引を行う現金入出金管理装置において、
接客部に投入された貨幣の総額から予め出金されている釣銭準備金額を減算して算出した売上金額の売上金を投入された貨幣で売上金収納部に収納することができないとき、入力部で入力された金種毎の枚数にしたがって釣銭準備金収納部に収納されている貨幣がニアエンドであっても、その貨幣で売上金に代替し、代替したその貨幣を釣銭準備金収納部から売上金収納部へ移動させて収納させるようにしたことを特徴とする現金入出金管理装置。
【請求項３】
請求項１または請求項２の現金入出金管理装置において、
釣銭準備金収納部に残しておく金種毎の貨幣の枚数を記憶する記憶部を設け、
前記記憶部に記憶された枚数の貨幣を釣銭準備金収納部に残して売上金に代替するようにしたことを特徴とする現金入出金管理装置。
【請求項４】
請求項１、請求項２または請求項３の現金入出金管理装置において、
前記売上金に代替する貨幣の金種、該金種毎の枚数、および貨幣を移動した後に前記釣銭準備金収納部に収納される該金種毎の枚数からなる確認画面を表示しているときに確認入力手段の押下を検知すると、釣銭準備金収納部から売上金収納部へ移動させるようにしたことを特徴とする現金入出金管理装置。
【発明の詳細な説明】
【技術分野】
【０００１】
本発明は、小売店等の店舗やテナントに設置され、売上金や釣銭準備金の入出金処理を行う現金入出金管理装置に関し、特に入金された現金を売上金と釣銭準備金に振り分けることができる現金入出金管理装置に関する。
【背景技術】
【０００２】
従来の現金入出金管理装置は、入金された紙幣や硬貨の現金を当日の売上金として売上金収納部に、翌日の営業のための釣銭を釣銭準備金として釣銭準備金収納部に振り分けて収納するようにしているが、入金された現金を振り分けて収納することができない場合、例えば入金された現金が１０枚の万円券であり、売上金が５千円の場合、釣銭準備金収納部に収納されている釣銭準備金から売上金に相当する金額の現金を売上金収納部へ移動する処理を行うようにしている。
【０００３】
この釣銭準備金収納部に収納されている釣銭準備金から売上金に相当する金額の現金を売上金収納部へ移動する処理において、現金入出金管理装置は釣銭準備金収納部の貨幣の収納状態を確認し、収納している貨幣が満杯に近いニアフル状態の金種の貨幣を最も優先して売上金収納部へ移動させ、次に収納している貨幣の枚数が少ないニアエンド状態でない高額金種の貨幣を優先して売上金収納部へ移動させ、ニアエンド状態の金種の貨幣は移動させないようにしている（例えば、特許文献１参照）。
【特許文献１】特開２００７−２８６７４４号公報（段落「００４３」〜段落「００４４」、図３）
【発明の開示】
【発明が解決しようとする課題】
【０００４】
しかしながら、上述した従来の技術においては、釣銭準備金収納部に収納している貨幣がニアエンド状態でない高額金種の貨幣から売上金収納部へ移動させるようにしているため、高額金種の貨幣がニアエンド状態であるとき、多数の低額金種の貨幣を売上金収納部へ移動する処理を行うことになり、売上金収納部へ移動した金種の貨幣が不足しやすくなるという問題がある。
【０００５】
例えば、釣銭準備金となる貨幣の金種が５千円券、千円券、５百円硬貨、百円硬貨、５十円硬貨、十円硬貨、５円硬貨、１円硬貨であり、釣銭準備金収納部の５千円券、千円券、５百円硬貨がニアエンド状態であり、入金された貨幣が２０枚の万円券、売上金が５千円である場合、入金された２０枚の万円券を釣銭準備金収納部へ収納して売上金の５千円を釣銭準備金収納部から売上金収納部へ移動する必要があるが、５千円券、千円券、５百円硬貨がニアエンド状態であるため、１００枚の百円硬貨を釣銭準備金収納部から売上金収納部へ移動することになり、移動した百円硬貨が不足しやすくなる。
【０００６】
また、多数の低額金種の貨幣を売上金収納部へ移動するため、売上収納部の重量が増し、運搬し難くなるという問題がある。
本発明は、このような問題を解決することを課題とする。
【課題を解決するための手段】
【０００７】
そのため、本発明は、接客部に投入された貨幣を釣銭準備金および売上金としてそれぞれを釣銭準備金収納部および売上金収納部に振り分けて収納させる入金取引を行う現金入出金管理装置において、接客部に投入された貨幣の総額から予め出金されている釣銭準備金額を減算して算出した売上金額の売上金を投入された貨幣で売上金収納部に収納することができないとき、釣銭準備金収納部に収納されている高額金種の貨幣がニアエンドであっても、その貨幣を優先して売上金に代替し、代替したその貨幣を釣銭準備金収納部から売上金収納部へ移動させて収納させるようにしたことを特徴とする。
【発明の効果】
【０００８】
このようにした本発明は、移動する貨幣の枚数を少なくすることができ、釣銭準備金収納部の貨幣の不足を防止することができるという効果が得られる。
また、売上金収納部の重量を増加させることがなくなり、売上金収納部の運搬が容易になるという効果が得られる。
【発明を実施するための最良の形態】
【０００９】
以下、図面を参照して本発明による現金入出金管理装置の実施例を説明する。
【実施例１】
【００１０】
図２は第１の実施例における現金入出金管理装置の正面図、図３は第１の実施例における現金入出金管理装置の側面図である。
図２および図３において、１は現金入出金管理装置であり、百貨店やスーパーマーケット等の小売業の店舗等に設置され、店舗の出納係やレジスタのオペレータ等の係員が操作して店舗の売場に設置されているレジスタへ釣銭準備金の出金およびレジスタから回収された売上金としての現金の入金等を行って店舗の現金を管理するものである。
【００１１】
ここで、釣銭準備金とは翌日の営業のために確保する現金であり、具体的にはレジスタに入れるための５千円券、千円券、５百円硬貨、百円硬貨、５十円硬貨、十円硬貨、５円硬貨、および１円硬貨の各貨幣である。
また、売上金とは現金入出金管理装置１に入金される全金額から本現金入出金管理装置１から出金した釣銭準備金を差し引いた残りの金額の現金である。
【００１２】
２は入力部であり、取り扱う金額、装置の設定情報、各種モードの選択等を入力するためのものである。この入力部２は、例えばキーボード入力、タッチパネル入力、外部からの通信入力、予め記憶部に記憶されている情報を読み出してその情報を選択する入力等の様々な入力態様が考えられるがどのような入力態様であってもよい。
３は取引選択入力部であり、釣銭準備金の補充、釣銭準備金の出金、売上金の入金、および装置の設定等の実行する取引を選択するためのものである。この取引選択入力部３もキーボード入力、タッチパネル入力等の様々な入力態様が考えられるがどのような入力態様であってもよい。
【００１３】
４は表示部であり、入力部２や取引選択入力部３等で入力された情報や装置の状態等を表示する液晶ディスプレイ等で構成されたものである。
５は取引情報入力部であり、係員等の取扱者を識別するための情報、店舗を識別するための店舗番号、レジスタを識別するためのレジスタ番号等の情報を入力するための情報の入力を行うためのものである。この取引情報入力部５は、例えば磁気カードの磁気ストライプに記録された情報を読み取る磁気カードリーダ、ＩＣカードのＩＣチップに記憶された情報を読み取るＩＣカードリーダ、バーコードを読み取るバーコードリーダ等で構成されるものであるがキーボード入力、タッチパネル入力等で構成するようにしてもよい。
【００１４】
６は紙幣部であり、釣銭準備金の補充、釣銭準備金の出金、売上金の入金等の紙幣の入金処理および出金処理を行うものである。
７は硬貨部であり、釣銭準備金の補充、釣銭準備金の出金、売上金の入金等の硬貨の入金処理および出金処理を行うものである。
次に、紙幣部６の構成を図１の第１の実施例における紙幣部の説明図に基づいて説明する。
【００１５】
図１において、８は接客部であり、係員との間で紙幣の受渡しを行う紙幣入出金口を備えた部位である。この接客部８は入金する紙幣の投入を受付け、また出金する紙幣を集積して係員へ受け渡すことができるようになっている。
９は一時保留部であり、接客部８に投入された紙幣を集積して貯留する部位である。この一時保留部９は接客部８に投入された紙幣を搬送して集積する集積機構およびその集積機構で集積された紙幣を１枚ずつ分離して繰出す分離機構を備えている。
【００１６】
１０は売上金収納部であり、接客部８に投入された売上金としての紙幣を金種毎に収納する金庫である。
１１、１２は釣銭準備金収納部であり、接客部８に投入された釣銭準備金としての紙幣を金種毎に収納する金庫である。
１３はリジェクト紙幣収納部であり、売上金収納部１０、釣銭準備金収納部１１、１２から繰出された出金するための紙幣が出金するのに不適であると鑑別されたリジェクト紙幣を収納する金庫である。
【００１７】
１４は分離部であり、接客部８に投入された紙幣を１枚ずつ分離して繰出す分離機構を備えた部位である。
１５は搬送路であり、繰出された紙幣をベルトやローラ等で挟持して搬送するものである。この搬送路１５は接客部８と一時保留部９、一時保留部９と売上金収納部１０および釣銭準備金収納部１１、１２、接客部８と売上金収納部１０および釣銭準備金収納部１１、１２、売上金収納部１０および釣銭準備金収納部１１、１２と接客部８、売上金収納部１０および釣銭準備金収納部１１、１２とリジェクト紙幣収納部１３とを結び、各部位間で紙幣を搬送することができるようになっている。
【００１８】
１６は鑑別部であり、搬送路１５に設けられ搬送路１５で搬送される紙幣の真偽、金種、正損、表裏等の鑑別および計数を行うとともに搬送異常の検出を行うものである。
１７は売上金収納部１０への仕分け部であり、１８、１９は釣銭準備金収納部１１、１２への仕分け部である。この仕分け部１７、１８、１９は搬送路１５で搬送された紙幣を鑑別部１６で鑑別された金種毎に仕分けて収納部へ収納させる。また、この仕分け部１７、１８、１９は各収納部に収納された紙幣を金種毎に１枚ずつ分離して繰出す分離機構も備えている。
【００１９】
したがって、接客部８に投入された紙幣を金種毎に売上金収納部１０、釣銭準備金収納部１１、１２へ収納させることができ、また売上金収納部１０、釣銭準備金収納部１１、１２に収納された紙幣を金種毎に１枚ずつ分離して繰出し、接客部８へ集積させることができるようになっている。
なお、硬貨部７も紙幣部６と略同様に構成され、接客部、一時保留部、売上金収納部、釣銭準備金収納部、リジェクト硬貨収納部、分離部、搬送路、鑑別部、および仕分け部等を備え、接客部に投入された硬貨を金種毎に売上金収納部、釣銭準備金収納部へ収納させることができ、また売上金収納部および釣銭準備金収納部に収納された硬貨を金種毎に１枚ずつ分離して繰出し、接客部へ集積させることができるようになっているものとする。
【００２０】
このように現金入出金管理装置１は、入力部２、取引選択入力部３、表示部４、取引情報入力部５、紙幣部６、硬貨部７等で構成され、図示しないメモリや磁気ディスク等の記憶部に格納されたプログラム（ソフトウェア）に基づいて図示しない中央処理装置等の制御部が現金入出金管理装置１全体を制御する。
なお、紙幣部６の売上金収納部１０ならびに釣銭準備金収納部１１，１２に収納されている金種毎の紙幣の枚数、および硬貨部７の売上金収納部ならびに釣銭準備金収納部に収納されている金種毎の硬貨の枚数を有高カウンタとして記憶部に記憶することができるようになっている。
【００２１】
また、このように構成された現金入出金管理装置１は、店舗外で一括管理するサーバ等の上位装置と通信可能に接続されるのが一般的であり、図４に示すようにＬＡＮ（Ｌｏｃａｌ  Ａｒｅａ  Ｎｅｔｗｏｒｋ）やＩＳＤＮ回線等の通信回線２０を介して上位装置と接続されている。なお、現金入出金管理装置１は必ずしも上位装置と接続されなければならないものではない。
【００２２】
上述した構成の作用について説明する。
なお、以下に説明する各実施例における各部の動作は、図示しないメモリや磁気ディスク等の記憶部に格納されたプログラム（ソフトウェア）に基づいて図示しない中央処理装置等の制御部により制御される。
現金入出金管理装置１は、現金を取扱うため、操作に先立ってセキュリティ強化を目的として取引情報入力部５により、例えばオペレータＩＤ情報等の必要な情報を入力させる。
【００２３】
まず、事前に所定の釣銭準備金を装填する釣銭準備金の補充取引の動作について説明する。
係員等は取引選択入力部３により補充取引を指定し、釣銭準備金として補充する５千円券ならびに千円券の紙幣および５百円、百円、５十円、十円、５円、ならびに１円の硬貨を紙幣部６および硬貨部７のそれぞれの接客部へ投入する。
【００２４】
紙幣部６の接客部８に投入された紙幣は分離部１４で１枚ずつ分離して搬送路１５へ繰出され、繰出された紙幣は搬送路１５で仕分け部１８、１９へ搬送され、その紙幣は鑑別部１６の鑑別結果に基づいて仕分け部１８、１９で金種別に仕分けされて釣銭準備金収納部１１、１２に収納される。
硬貨部７の接客部に投入された硬貨も同様に金種別に仕分けされて釣銭準備金収納部に収納される。
【００２５】
次に、所定の釣銭準備金を出金する釣銭準備金の出金取引の動作を説明する。
係員等は取引選択入力部３により出金取引を指定し、釣銭準備金として出金する５千円券ならびに千円券の紙幣および５百円、百円、５十円、十円、５円、ならびに１円の硬貨のそれぞれの枚数を入力部２により指定する。または、出金する紙幣または硬貨の金種別の枚数を複数のパターンに分類して予め記憶部に記憶させておき、その金種別の枚数を複数のパターンの中から入力部２により選択する。
【００２６】
出金する紙幣または硬貨の金種別の枚数が指定されると紙幣部６は釣銭準備金収納部１１、１２から指定された金種別の枚数に基づいて金種毎に紙幣を分離して繰出し、その紙幣を搬送路１５により接客部８へ搬送して集積する。また、硬貨部７も同様に釣銭準備金収納部から金種毎に硬貨を分離して繰出し、接客部へ搬送して集積する。
紙幣部６および硬貨部７の接客部に集積された紙幣および硬貨を係員が受け取り、出金取引を終了する。
【００２７】
このとき、図示しないレシートプリンタにより出金した紙幣および硬貨の金種別の枚数や合計金額等の出金結果や取扱者の情報を明細票に印字して発行することも可能である。また、店舗を識別するための情報やレジスタを識別する情報とともに出金結果を記憶部に記憶させて、釣銭準備金の出金としてどの店舗のどのレジスタに対して釣銭準備金を出金したかを管理する。
【００２８】
次に、売上金を入金する入金取引の動作を説明する。
係員等は図５（ａ）に示す取引選択画面にしたがって取引選択入力部３により入金取引を指定し、図５（ｂ）に示す誘導画面にしたがって売上金として入金するする紙幣および硬貨を紙幣部６および硬貨部７のそれぞれの接客部へ投入する。
なお、接客部に投入される紙幣および硬貨は、売上金と上述した釣銭準備金の出金取引で既に出金した釣銭準備金が混在しているため、入力部２により売上金額を入力するようにしてもよいが、必ずしもこの売上金額の入力は必須ではない。それは、釣銭準備金として出金した金額を記憶部に記憶させるようにしているため、入金された金額から釣銭準備金として出金した金額を引いた金額が売上金となるからである。
【００２９】
紙幣部６の接客部８に投入された紙幣は分離部１４で１枚ずつ分離されて搬送路１５へ繰出され、繰出された紙幣は搬送路１５で一時保留部９へ搬送されて集積されるとともに鑑別部１６で金種の鑑別や紙幣の計数が行われる。
硬貨部７の接客部に投入された硬貨も分離部で１枚ずつ分離されて搬送路へ繰出され、繰出された硬貨は搬送路で一時保留部へ搬送されて集積されるとともに鑑別部で金種の鑑別や硬貨の計数が行われる。
【００３０】
投入された紙幣および硬貨の計数が終了すると制御部はその計数結果である金種毎の枚数、入力等された売上金額、釣銭準備金として既に出金してある金額等を表示部４に表示し、係員に確認させる。
係員は図５（ｃ）に示す誘導画面にしたがって表示部４に表示された計数結果、売上金額、釣銭準備金額を確認し、入力部２の処理を進めるための確認キー等を押下するものとする。
【００３１】
確認キー等の押下を検知すると紙幣部６は一時保留部９に集積された紙幣を１枚ずつ分離して搬送路へ繰出し、釣銭準備金額に相当する紙幣を搬送路１５で仕分け部１８、１９へ搬送し、その紙幣は鑑別部１６の鑑別結果に基づいて仕分け部１８、１９で金種別に仕分けされて釣銭準備金収納部１１、１２に収納し、また売上金額に相当する紙幣を搬送路１５で仕分け部１７へ搬送し、その紙幣は鑑別部１６の鑑別結果に基づいて仕分け部１７で金種別に仕分けされて売上金収納部１０に収納する。
【００３２】
また、硬貨部７も同様に一時保留部に集積された硬貨を１枚ずつ分離して搬送路へ繰出し、釣銭準備金額に相当する硬貨を搬送路で仕分け部へ搬送し、その硬貨は鑑別部の鑑別結果に基づいて仕分け部で金種別に仕分けされて釣銭準備金収納部に収納し、また売上金額に相当する硬貨を搬送路で仕分け部へ搬送し、その硬貨は鑑別部の鑑別結果に基づいて仕分け部で金種別に仕分けされて売上金収納部に収納する。
【００３３】
ここで、接客部に投入された貨幣が２０枚の万円券であり、売上金額が５千円である場合のように投入された紙幣および硬貨で釣銭準備金と売上金に振り分けることができない場合は釣銭準備金収納部から売上金収納部へ紙幣および／または硬貨を移動する移動処理を行うが、その移動処理を以下に説明する。
係員等は取引選択入力部３により入金取引を指定し、売上金として入金する紙幣および硬貨を紙幣部６および硬貨部７のそれぞれの接客部へ投入する。
【００３４】
紙幣部６の接客部８に投入された紙幣は分離部１４で１枚ずつ分離されて搬送路１５へ繰出され、繰出された紙幣は搬送路１５で一時保留部９へ搬送されて集積されるとともに鑑別部１６で金種の鑑別や紙幣の計数が行われる。
硬貨部７の接客部に投入された硬貨も分離部で１枚ずつ分離されて搬送路へ繰出され、繰出された硬貨は搬送路で一時保留部へ搬送されて集積されるとともに鑑別部で金種の鑑別や硬貨の計数が行われる。
【００３５】
投入された紙幣および硬貨の計数が終了すると制御部はその計数結果である金種毎の枚数、入力等された売上金額、釣銭準備金として既に出金してある金額等を表示部４に表示し、係員に確認させる。
係員は表示部４に表示された計数結果、売上金額、釣銭準備金額を確認し、入力部２の処理を進めるための確認キー等を押下するものとする。
【００３６】
ここまでは上述した入金取引と同様であるが以下の処理が異なる。
例えば、釣銭準備金収納部に５千円券が２５枚、千円券が２０枚、５百円硬貨が２５枚、百円硬貨が５００枚、５十円硬貨が５００枚、十円硬貨が５００枚、５円硬貨が５００枚、１円硬貨が５００枚の紙幣および硬貨が収納され、収納されている５千円券および千円券が３０枚以下、１円硬貨から５百円硬貨までの硬貨がそれぞれ１００枚以下になるとニアエンドと判定する場合において、接客部に投入された貨幣が２０枚の万円券であり、売上金額が５千円であるとき、制御部は確認画面を表示部４に表示する。
【００３７】
この確認画面は、移動の対象になる貨幣の金種、釣銭準備金収納部に収納されている貨幣の枚数、移動する貨幣の枚数、および移動後の貨幣の収納枚数で構成され、例えば図５（ｄ）に示す「売上金を収納するために以下の金種が移動対象となります。  金種  ５千  収納枚数  ２５枚  移動可能枚数  １枚  残り枚数  ２４枚  宜しければ確認、金種枚数変更時は訂正押下して下さい」等の文言で構成されたものである。
【００３８】
ここで、制御部は、移動の対象になる貨幣の金種を収納枚数がニアエンド状態であっても代替できる最も高額な貨幣の金種とし、移動する貨幣の枚数を算出するものとする。なお、収納枚数は記憶部に記憶した有高カウンタから読み出すものとする。このようにすることにより移動する貨幣の枚数を減らすことができるようになる。
係員は表示された確認画面を確認し、表示された移動の対象になる貨幣の金種、および移動する貨幣の枚数で貨幣の移動を行う場合、入力部２の確認入力手段としての確認キーを押下する。
【００３９】
確認キーの押下を検知すると紙幣部６は一時保留部９に集積された紙幣を１枚ずつ分離して搬送路へ繰出し、２０枚の万円券を搬送路１５で仕分け部１８、１９へ搬送し、その紙幣は鑑別部１６の鑑別結果に基づいて仕分け部１８、１９で金種別に仕分けされて釣銭準備金収納部１１、１２に収納する。
次に、紙幣部６は釣銭準備金収納部１１、１２から上述した移動の対象になる貨幣の金種、および移動する貨幣の枚数に基づいて金種毎に紙幣を繰出し、その紙幣を搬送路１５により売上金収納部１０へ搬送して収納する。本実施例では、１枚の５千円紙幣を釣銭準備金収納部１１、１２から繰出して売上金収納部１０へ移動する。
【００４０】
一方、係員は表示された確認画面を確認し、表示された移動の対象になる貨幣の金種、および移動する貨幣の枚数を変更する場合、入力部２の訂正キーを押下するものとし、訂正キーの押下を検知すると制御部は図５（ｅ）、（ｆ）、（ｇ）に示す入力画面を表示部４に表示し、移動の対象になる貨幣の金種の選択、および移動する貨幣の枚数の入力を受け付けるものとする。
【００４１】
移動の対象になる貨幣の金種の選択、および移動する貨幣の枚数の入力が終了すると制御部は、移動の対象になる貨幣の金種、釣銭準備金収納部に収納されている貨幣の枚数、移動する貨幣の枚数、および移動後の貨幣の収納枚数で構成された図５（ｈ）に示す確認画面を表示部４に表示し、確認入力手段としての確認キーの押下を検知すると上述した釣銭準備金収納部から売上金収納部へ紙幣および／または硬貨を移動する移動処理を行う。
【００４２】
このように投入された紙幣および硬貨で釣銭準備金と売上金に振り分けることができない場合は、移動の対象になる貨幣の金種を収納枚数がニアエンド状態であっても代替できる最も高額な貨幣の金種とし、移動する貨幣の枚数を算出して、移動の対象になる貨幣の金種、釣銭準備金収納部に収納されている貨幣の枚数、移動する貨幣の枚数、および移動後の貨幣の収納枚数で構成される確認画面を表示し、その確認画面で確認キーが押下された場合、釣銭準備金収納部から売上金収納部へ紙幣および／または硬貨を移動する移動処理を行う。
【００４３】
以上説明したように、第１の実施例では、移動の対象になる貨幣の金種を、収納枚数がニアエンド状態であっても代替できる最も高額な貨幣の金種とし、移動する貨幣の枚数を算出して釣銭準備金収納部から売上金収納部へ紙幣および／または硬貨を移動する移動処理を行うようにしたことにより、移動する貨幣の枚数を少なくすることができ、釣銭準備金収納部の貨幣の不足を防止することができるという効果が得られる。したがって、売上金の入金取引後の釣銭準備金の出金取引で貨幣の不足により装置を停止させることを抑制することができ、装置の利用率の低下を防止することができるという効果が得られる。
【００４４】
また、売上金収納部の重量を増加させることがなくなり、売上金収納部の運搬が容易になるという効果が得られる。
さらに、収納枚数がニアエンド状態の貨幣を積極的に移動対象とすることを可能にすることで資金の運用効率を向上させることができるという効果も得られる。
【実施例２】
【００４５】
第２の実施例の構成は第１の実施例の構成と同様なので同一の符号を付してその説明を省略し、第２の実施例の構成の作用について説明する。
現金入出金管理装置１は、現金を取扱うため、操作に先立ってセキュリティ強化を目的として取引情報入力部５により、例えばオペレータＩＤ情報等の必要な情報を入力させる。なお、釣銭準備金の補充取引および釣銭準備金の出金取引の動作は第１の実施例と同様なのでその説明を省略する。
【００４６】
まず、売上金の入金取引において釣銭準備金収納部から売上金収納部へ紙幣および／または硬貨を移動する移動処理を行う場合、その移動処理後に釣銭準備金収納部に残しておく貨幣の枚数を金種毎に設定する処理を説明する。
係員等は取引選択入力部３により「設定」を指定し、釣銭準備金収納部に残しておく貨幣の枚数を５千円券ならびに千円券の紙幣および５百円、百円、５十円、十円、５円、ならびに１円の硬貨の金種毎に入力部２からそれぞれ入力する。
【００４７】
制御部は入力された金種毎の枚数を記憶部に記憶させて登録する。
このようにして事前に釣銭準備金収納部に残しておく貨幣の枚数を金種毎に設定する処理を行う。
次に、売上金を入金する入金取引の動作を説明する。
なお、釣銭準備金収納部から売上金収納部へ紙幣および／または硬貨を移動する移動処理を行わない場合の入金取引の動作は第１の実施例と同様なのでその説明を省略し、投入された紙幣および硬貨で釣銭準備金と売上金に振り分けることができない場合の釣銭準備金収納部から売上金収納部へ紙幣および／または硬貨を移動する移動処理を以下に説明する。
【００４８】
係員等は取引選択入力部３により入金取引を指定し、売上金として入金するする紙幣および硬貨を紙幣部６および硬貨部７のそれぞれの接客部へ投入する。
紙幣部６の接客部８に投入された紙幣は分離部１４で１枚ずつ分離されて搬送路１５へ繰出され、繰出された紙幣は搬送路１５で一時保留部９へ搬送されて集積されるとともに鑑別部１６で金種の鑑別や紙幣の計数が行われる。
【００４９】
硬貨部７の接客部に投入された硬貨も分離部で１枚ずつ分離されて搬送路へ繰出され、繰出された硬貨は搬送路で一時保留部へ搬送されて集積されるとともに鑑別部で金種の鑑別や硬貨の計数が行われる。
投入された紙幣および硬貨の計数が終了すると制御部はその計数結果である金種毎の枚数、入力等された売上金額、釣銭準備金として既に出金してある金額等を表示部４に表示し、係員に確認させる。
【００５０】
係員は表示部４に表示された計数結果、売上金額、釣銭準備金額を確認し、入力部２の処理を進めるための確認キー等を押下するものとする。
ここで、釣銭準備金収納部に残しておく貨幣の枚数として、５千円券が５枚、千円券が５枚、５百円硬貨が５０枚、百円硬貨が５０枚、５十円硬貨が５０枚、十円硬貨が５０枚、５円硬貨が５０枚、１円硬貨が５０枚、が事前に設定され、釣銭準備金収納部に５千円券が５枚、千円券が９枚、５百円硬貨が３００枚、百円硬貨が５００枚、５十円硬貨が５００枚、十円硬貨が５００枚、５円硬貨が５００枚、１円硬貨が５００枚の紙幣および硬貨が収納され、収納されている５千円券および千円券が３０枚以下、１円硬貨から５百円硬貨までの硬貨がそれぞれ１００枚以下になるとニアエンドと判定する場合において、接客部に投入された貨幣が万円券２０枚であり、売上金額が５千円であるとき、制御部は確認画面を表示部４に表示する。
【００５１】
この確認画面は、移動の対象になる貨幣の金種、釣銭準備金収納部に収納されている貨幣の枚数、移動する貨幣の枚数、および移動後の貨幣の収納枚数で構成され、例えば図６に示すように「売上金を収納するために以下の金種が移動対象となります。  金種  千  収納枚数  ９枚  移動可能枚数  ４枚  残り枚数  ５枚    金種  ５百  収納枚数  ３００枚  移動可能枚数  ２枚  残り枚数  ２９８枚  よろしければ確認、金種枚数変更時は訂正押下して下さい」等の文言で構成されたものである。
【００５２】
ここで、制御部は、移動の対象になる貨幣の金種を収納枚数がニアエンド状態であっても代替できる最も高額な貨幣の金種とし、事前に設定された釣銭準備金収納部に残しておく貨幣の枚数を確保して移動する貨幣の枚数を算出するものとする。
本実施例では、１枚の５千円券を移動処理することで売上金を売上金収納部へ収納させることができるが釣銭準備金収納部に収納される５千円券が４枚となり、設定された釣銭準備金収納部に残しておく貨幣の枚数を確保することができなくなる。また、５枚の千円券を移動処理することで売上金を売上金収納部へ収納させることができるが釣銭準備金収納部に収納される千円券が４枚となり、設定された釣銭準備金収納部に残しておく貨幣の枚数を確保することができなくなる。
【００５３】
そこで、４枚の千円券および２枚の５百円硬貨を移動処理することで売上金を売上金収納部へ収納させることができる。このようにすることにより事前に設定された釣銭準備金収納部に残しておく貨幣の枚数を確保しつつ、移動する貨幣の枚数を減らすことができるようになる。
係員は表示された確認画面を確認し、表示された移動の対象になる貨幣の金種、および移動する貨幣の枚数で貨幣の移動を行う場合、入力部２の確認入力手段としての確認キーを押下する。
【００５４】
確認キーの押下を検知すると紙幣部６は一時保留部９に集積された紙幣を１枚ずつ分離して搬送路１５へ繰出し、２０枚の万円券を搬送路１５で仕分け部１８、１９へ搬送し、その紙幣は鑑別部１６の鑑別結果に基づいて仕分け部１８、１９で金種別に仕分けされて釣銭準備金収納部１１、１２に収納する。
次に、紙幣部６は釣銭準備金収納部１１、１２から上述した移動の対象になる貨幣の金種、および移動する貨幣の枚数に基づいて金種毎に紙幣を繰出し、その紙幣を搬送路１５により売上金収納部１０へ搬送して収納する。本実施例では、４枚の千円券を釣銭準備金収納部１１、１２から繰出して売上金収納部１０へ移動する。
【００５５】
次に、硬貨部７は釣銭準備金収納部から上述した移動の対象になる貨幣の金種、および移動する貨幣の枚数に基づいて金種毎に硬貨を繰出し、その硬貨を搬送路により売上金収納部へ搬送して収納する。本実施例では、２枚の５百円硬貨を釣銭準備金収納部から繰出して売上金収納部へ移動する。
なお、係員は表示された確認画面を確認し、表示された移動の対象になる貨幣の金種、および移動する貨幣の枚数を変更する場合の処理は第１の実施例と同様なのでその説明を省略する。
【００５６】
このように投入された紙幣および硬貨で釣銭準備金と売上金に振り分けることができない場合は、移動の対象になる貨幣の金種を収納枚数がニアエンド状態であっても事前に設定された釣銭準備金収納部に残しておく貨幣の枚数を確保しつつ、代替できる最も高額な貨幣の金種とし、移動する貨幣の枚数を算出して、移動の対象になる貨幣の金種、釣銭準備金収納部に収納されている貨幣の枚数、移動する貨幣の枚数、および移動後の貨幣の収納枚数で構成され確認画面を表示し、その確認画面で確認入力手段としての確認キーが押下された場合、釣銭準備金収納部から売上金収納部へ紙幣および／または硬貨を移動する移動処理を行う。
【００５７】
以上説明したように、第２の実施例では、第１の実施例の効果に加え、移動の対象になる貨幣の金種を、収納枚数がニアエンド状態であっても事前に設定された釣銭準備金収納部に残しておく貨幣の枚数を確保しつつ、代替できる最も高額な貨幣の金種とし、移動する貨幣の枚数を算出して釣銭準備金収納部から売上金収納部へ紙幣および／または硬貨を移動する移動処理を行うようにしたことにより、予期せぬ釣銭準備金収納部の貨幣の不足を防止することができるという効果が得られる。
【図面の簡単な説明】
【００５８】
【図１】第１の実施例における紙幣部の説明図
【図２】第１の実施例における現金入出金管理装置の正面図
【図３】第１の実施例における現金入出金管理装置の側面図
【図４】第１の実施例における上位装置との接続形態を示す説明図
【図５】第１の実施例における表示画面の説明図
【図６】第２の実施例における表示画面の説明図
【符号の説明】
【００５９】
１    現金入出金管理装置
２    入力部
３    取引選択入力部
４    表示部
５    取引情報入力部
６    紙幣部
７    硬貨部
８    接客部
９    一時保留部
１０  売上金収納部
１１、１２  釣銭準備金収納部
１３  リジェクト紙幣収納部
１４  分離部
１５  搬送路
１６  鑑別部
１７、１８、１９  仕分け部
２０  通信回線
【図１】
0005125575.tif 000002
【図２】
0005125575.tif 000003
【図３】
0005125575.tif 000004
【図４】
0005125575.tif 000005
【図５】
0005125575.tif 000006
【図６】
0005125575.tif 000007